(57)【特許請求の範囲】
【請求項１】
透視図法で表示する地図画面上に、複数の階層を有し、各階層はアイコン群からなるメニューを表示するナビゲーション装置の画像表示方法において、
前記ナビゲーション装置が、操作者の操作入力またはシステムの入力要求に応じて上位階層のアイコン群を表示し、
前記ナビゲーション装置が、当該アイコン群中からの操作者のアイコン選択に応じて、対応する下位階層のアイコン群を表示し、
前記ナビゲーション装置が、それにあわせて表示される地図画面の消失点位置に上位階層のアイコン群の表示位置を移動する
ことを特徴とする画像表示方法。
【請求項２】
前記ナビゲーション装置が、前記上位階層のアイコン群の表示位置を移動させた際に、選択したアイコンが消失点位置に位置するよう移動させることを特徴とする請求項１記載の画像表示方法。
【請求項３】
前記ナビゲーション装置が、下位階層のアイコン群を表示画面の略中央に表示することを特徴とする請求項１または２に記載の画像表示方法。
【請求項４】
前記ナビゲーション装置が、下位階層のアイコン群のアイコンを上位階層のアイコンと異なるアクセント表示により表示することを特徴とする請求項１〜３のいずれかに記載の画像表示方法。
【発明の詳細な説明】
【技術分野】
【０００１】
本発明は、地図情報を表示する装置において、操作入力メニューを表示する画像表示方法に関し、例えば、車両に搭載されるナビゲーション装置における画像表示方法に関する。
【背景技術】
【０００２】
車両に搭載され、現在地付近の地図情報の運転者への提示や、設定した目的地までの経路案内を行う車両用ナビゲーション装置が普及している。こうしたナビゲーション装置では、操作者が目的地の設定や経路案内において優先すべき条件、表示画面の変更などを行う際に、ディスプレイ上に表示されるメニューの中から所望の項目を選択する方式で行う方式が広く採用されている。特許文献１に記載されているメニュー表示方法は、こうしたメニュー表示方法の一例であって、階層を有するメニューを表示する際に、全ての階層のメニューを画面内に表示できるようメニュー幅の異なる別の表示用メニューデータと置き換えて表示を行うというものである。
【先行技術文献】
【特許文献】
【０００３】
【特許文献１】特開２００１−３５９００９号公報
【発明の概要】
【発明が解決しようとする課題】
【０００４】
この技術によれば、上位階層まで全ての階層のメニューを表示することができるものの、下位階層のメニューによって上位階層のメニュー表示幅が変更されることがある。また、メニュー階層が深くなると、画面の幅いっぱいにメニューが表示されてしまう。このため、操作者に不規則な視線移動を強いる結果になり、また、メニューに隠されてしまう。
【０００５】
そこで本発明は、地図画面を表示して案内を行うナビゲーション装置において、操作者の視認性を向上させたメニュー表示を可能とする画像表示方法を提供することを課題とする。
【課題を解決するための手段】
【０００６】
上記課題を解決するため、本発明に係る画像表示方法は、透視図法で表示する地図画面上に、複数の階層を有し、各階層はアイコン群からなるメニューを表示するナビゲーション装置の画像表示方法において、ナビゲーション装置が、操作者の操作入力またはシステムの入力要求に応じて上位階層のアイコン群を表示し、ナビゲーション装置が、当該アイコン群中からの操作者のアイコン選択に応じて、対応する下位階層のアイコン群を表示し、ナビゲーション装置が、それにあわせて表示される地図画面の消失点位置に上位階層のアイコン群の表示位置を移動することを特徴とする。
【０００７】
このようにナビゲーション装置が上位階層のアイコン群の表示位置を移動させた際に、選択したアイコンが消失点位置に位置するよう移動させるとよい。
【０００８】
また、ナビゲーション装置が下位階層のアイコン群を表示画面の略中央に表示するとよい。
【０００９】
ナビゲーション装置が下位階層のアイコン群のアイコンを上位階層のアイコンと異なるアクセント表示により表示すると好ましい。
【発明の効果】
【００１０】
本発明によれば、下位階層のメニューを表示する段階で、その上位階層のメニューを透視図法で表示する地図画面の消失点位置に移動させるので、メニューの階層を移動する場合の操作者の視点移動が軽減される。また、地図表示の上部にメニューを表示することができるので、メニュー表示中も地図表示の視認性を損なうことがない。
【００１１】
選択したアイコンを消失点位置へと移動させることで、どのアイコンを選択したか一目でわかるため、さらに視認性が向上する。下位階層のアイコン群を表示画面の略中央に表示することで、選択すべきメニューが視認しやすくなる。
【００１２】
下位階層と上位階層のアイコン群をそれぞれ異なるアクセント表示で表示することで、より一層視認性が向上する。
【図面の簡単な説明】
【００１３】
【図１】本発明に係る画像表示方法を実現する表示装置の構成を示すブロック図である。
【図２】本発明に係る画像表示方法を説明するフローチャートである。
【図３】メニューの第１階層を表示している状態を示す図である。
【図４】メニューの第２階層を表示している状態を示す図である。
【発明を実施するための形態】
【００１４】
以下、添付図面を参照して本発明の好適な実施の形態について詳細に説明する。説明の理解を容易にするため、各図面において同一の構成要素に対しては可能な限り同一の参照番号を附し、重複する説明は省略する。
【００１５】
図１は、本発明に係る画像表示方法を実現する表示装置の構成を示すブロック図である。この表示装置は、車両に搭載されるナビゲーション装置であり、制御装置であるナビゲーションＥＣＵ１０を中心に構成される。ナビゲーションＥＣＵ１０は、ＣＰＵ、ＲＯＭ、ＲＡＭ等によって構成され、アンテナ１４によりＧＰＳ（Global Positioning System）衛星からのデータを受信するＧＰＳ受信機１３、地図情報を格納する記憶装置である地図データベース（ＤＢ）１１、自律航法装置であるジャイロ装置１２、車速、加速度、舵角等を検出する各種の車両状態量センサ１８のほか、メニュー設定等を行う入力手段１７、表示を行うディスプレイ１５、音声出力のためのスピーカー１６が接続されている。
【００１６】
ここで、タッチパネル式のディスプレイを用いることで、入力手段１７、ディスプレイ１５を兼用するとよく、以下の実施形態では、この種のタッチパネル式ディスプレイを用いる場合を例に説明するが、キーボードやポインティングデバイスのようなディスプレイ１５とは別の入力手段１７を用いる場合には本発明は好適である。
【００１７】
このナビゲーション装置は、ＧＰＳ受信機１３が受信したＧＰＳ衛星からの情報と、車両状態量センサ１８で取得した車両状態量、ジャイロ装置１２の出力から、自車両の現在位置を推定し、地図ＤＢ１１から対応する位置の地図情報を読み出してディスプレイ１５上に表示する機能を持つ。さらに、入力手段１７により設定した目的地情報に応じて、地図ＤＢ１１から読み出した交通情報、周辺地域情報に基づいて、目的地までの経路を求め、現在位置に応じて目的地までの経路情報をディスプレイ１５上に表示する機能を有する。このとき、スピーカー１６により、音声ガイダンスを行ってもよい。
【００１８】
図２は、このナビゲーション装置によりディスプレイ１５に表示される地図画面の例示である。地図表示は、透視図法、または、鳥瞰図法といわれる上空から見た形式で表示され、自車両位置は円内に三角形を配置したアイコン１００で表示され、三角形の頂点のひとつが自車両の進行方向を表している。
【００１９】
操作者の操作、または、ナビゲーション装置が操作者による入力を要求することにより、ディスプレイ１５の表示画面上には、所定のメニュー１００が表示される（図３参照。）ここでは、地図画面の自車両アイコン１００の周辺の表示を遮ることのないよう画面上方にアイコン１１０Ａ〜１１０Ｅを横に並べた形でメニュー１１０が配置される。図３中では、アイコン１１０Ａ〜１１０Ｅを全て円で表記しているが、実際には、各々視覚的にその機能がわかりやすいアイコン表示が用いられる。
【００２０】
この状態で、操作者が下位階層のメニュー１２０が関連づけられているアイコン１１０Ｂを選択すると、画面は図４に示されるように遷移する。具体的には、上位階層のメニュー１１０は、選択したアイコン１１０Ｂが地図表示の消失点１３０位置に合致するよう画面上方に移動するともに、新しい下位階層のメニュー１２０が、移動前のメニュー１１０が表示された位置に表示される。このメニュー１２０は、アイコン１２０Ａ〜１２０Ｄからなる。
【００２１】
このとき、メニュー１１０は、移動しながらメニュー１２０より高さが狭く、各アイコン１１０Ａ〜１１０Ｅの大きさがアイコン１２０Ａ〜１２０Ｄの大きさより小さくなるようアニメーション表示されるとよい。さらに、メニュー１１０の構成要素（アイコン１１０Ａ〜１１０Ｅを含む。）をメニュー１２０の構成要素より薄く表示するとともに、選択したアイコン１１０Ｂのみを他のアイコンより１１０Ａ、１１０Ｃ〜１１０Ｅより強調して表示するとよい。さらに、上位階層のメニュー１１０のいずれかに触れることで、図３に示される表示状態へと戻るようにするとよい。
【００２２】
このように表示を行うことで、操作者からは、アイコン１１０Ｂの選択により、上位階層のメニュー１１０が画面の奥へと移動して、メニュー１２０が手前に表示されたように感じることになり、その視線移動を抑えられるとともに、メニュー１１０とメニュー１２０の関連も理解しやすい。さらに、メニュー１１０、１２０は地図表示の主要部分（特に、自車両アイコン１００の周辺の表示）を遮ることがないので、操作性、視認性が両立できる。
【００２３】
このメニュー表示は、地図表示画面やその他の情報表示とは別のレイヤーとしてこれらの表示に重ね合わせて表示を行うことで、画面遷移を行うことなく、表示を行う。このため、操作者の操作の流れが遮断されることがなく、また、操作者は直前の使用画面に容易に戻れることが直感的にわかるという利点がある。
【００２４】
奥側に表示される上位階層のメニュー１１０の表示は、上記の表示状態に限られるものではないが、手前に表示される下位階層のメニュー１２０と異なるアクセント表示を行うとよい。このとき、選択したアイコン１１０Ｂとメニュー１２０との関連が視覚的にわかりやすいよう、両者の表示を関連づけるか、アイコン１１０Ｂの表示（例えば色）とメニュー１１０の表示を関連づけるとよい。
【００２５】
ここでは、２階層のメニューを例に説明したが、階層が３階層以上に及ぶ場合にも、同様の手法で表示を行うとよい。３階層以上の場合には、下位階層のメニュー中の項目の選択により、さらに下位の階層を表示する際には、先に消失点位置へ表示されていた階層メニューは、画面の奥、すなわち、消失点位置のさらに上へと移動させるとよい。あるいは、当該階層メニューを画面から消してもよい。
【符号の説明】
【００２６】
１０…ナビゲーションＥＣＵ、１１…地図データベース、１２…ジャイロ装置、１３…受信機、１４…アンテナ、１５…ディスプレイ、１６…スピーカー、１７…入力手段、１８…車両状態量センサ、１００、１１０Ａ〜１１０Ｅ、１２０Ａ〜１２０Ｄ…アイコン、１１０…メニュー、メニュー、１３０…消失点。
【図１】
0005521717.tif 000002
【図２】
0005521717.tif 000003
【図３】
0005521717.tif 000004
【図４】
0005521717.tif 000005